(57)【特許請求の範囲】
【請求項１】
排出孔を有するキャップ本体、キャップ本体とヒンジで係合された蓋、および前記蓋を前記キャップ本体にロックするロック機構を有するヒンジキャップであって、
前記ロック機構は、前記蓋に設けられた開口に回転可能に係合された回動部材を用いたものであり、
前記回動部材は、蓋の上面と接する操作部と、前記蓋の開口内で回転可能に係合された、前記蓋内に突出した円筒形の係合部とから構成され、
前記キャップ本体には、内側はすり鉢状に形成され、すり鉢状の最下部の中央に排出孔が形成された円筒形の突出部が設けられ、
前記回動部材の係合部の外周面が前記蓋の開口と回転可能に係合し、前記回動部材の係合部の内周面は、前記キャップ本体の突出部の外周面と係合可能であり、前記蓋をキャップ本体に係合させた時に、前記回動部材の係合部中に前記突出部が挿入され、前記回動部材の回転によって、前記回動部材の係合部の内周面と、前記キャップ本体の突出部の外周面との係合および係合の解除が行われることで、前記蓋を前記キャップ本体にロックおよびロック解除を行うことを特徴とするヒンジキャップ。
【請求項２】
前記蓋をキャップ本体に係合させた時に、前記回動部材の回転によって、前記回動部材の係合部の内周面に設けられた凸部が、前記キャップ本体の突出部の外周面に設けられた凸部の下方へと移動し、前記突出部の凸部によって前記係合部の凸部が上方への移動が抑制されることにより、前記蓋が前記キャップ本体にロックされることを特徴とする請求項１に記載のヒンジキャップ。
【発明の詳細な説明】
【技術分野】
【０００１】
本発明は、ヒンジキャップに関し、特にロック機構を有するヒンジキャップに関する。
【背景技術】
【０００２】
シャンプーやリンス等の液体あるいは洗顔料等のクリーム状のものを充填する容器のキャップとして、キャップ本体とキャップ本体に
ヒンジ結合された蓋を備えたヒンジキャップが多数用いられており、使用者はヒンジキャップの蓋を開けて、容器内の液体等を排出して使用する。前記ヒンジキャップは、蓋によってキャップ本体に設けられた液体を排出する孔を塞ぎ、蓋を開けるとキャップ本体に設けられた孔が露出し、容器を押したり、容器を逆さまにすることで容器内の液体を排出する構造となっている。
【０００３】
蓋の開け閉めを繰り返す容器の場合、蓋とキャップ本体に設けられた凹凸等を用いて互いに係合させるだけの簡単な構造を用いているものが多く、このような構造ではキャップに何らかの力、あるいは衝撃が加わった時に、簡単に蓋が外れて容器内の液体等が排出されるという問題があった。このような問題を解消するために、ヒンジキャップに様々なロック機構を用いたものが見られるようになっている（特許文献１を参照）。
【先行技術文献】
【特許文献】
【０００４】
【特許文献１】特開２００３−６３５５３号公報
【発明の概要】
【発明が解決しようとする課題】
【０００５】
しかしながら、従来のロック機構は、その構造が複雑なものは蓋の開閉が簡単にできないという問題があり、また、ロック機構が簡単なものは使用者が意図しない時に蓋が開くという問題があった。
【０００６】
そこで、本発明は簡単なロック機構を用いて、より強固にロックすることが可能なヒンジキャップを提供することを目的とする。
【課題を解決するための手段】
【０００７】
本発明のヒンジキャップは、排出孔を有するキャップ本体、キャップ本体とヒンジで係合された蓋、および前記蓋を前記キャップ本体にロックするロック機構を有するヒンジキャップであって、前記ロック機構は、前記蓋に設けられた開口に回転可能に係合された回動部材を用いたものであり、前記回動部材は、蓋の上面と接する操作部と、前記蓋の開口内で回転可能に係合された、前記蓋内に突出した円筒形の係合部とから構成され、前記キャップ本体には、排出孔が形成された円筒形の突出部が設けられ、前記回動部材の係合部の外周面が前記蓋の開口と回転可能に係合し、前記回動部材の係合部の内周面は、前記キャップ本体の突出部の外周面と係合可能であり、前記蓋をキャップ本体に係合させた時に、前記回動部材の係合部中に前記突出部が挿入され、前記回動部材の回転によって、前記回動部材の係合部の内周面と、前記キャップ本体の突出部の外周面との係合および係合の解除が行われることで、前記蓋を前記キャップ本体にロックおよびロック解除を行うことを特徴とする
【０００８】
さらに、前記蓋をキャップ本体に係合させた時に、前記回動部材の回転によって、前記回動部材の係合部の内周面に設けられた凸部が、前記キャップ本体の突出部の外周面に設けられた凸部の下方へと移動し、前記突出部の凸部によって前記係合部の凸部が上方への移動が抑制されることにより、前記蓋が前記キャップ本体にロックされる。
【発明の効果】
【０００９】
本発明のヒンジキャップは、排出孔を有するキャップ本体、キャップ本体とヒンジで係合された蓋、および前記蓋を前記キャップ本体にロックするロック機構を有するヒンジキャップであって、前記ロック機構は、前記蓋に設けられた開口に回転可能に係合された回動部材を用いたものであり、前記回動部材は、蓋の上面と接する操作部と、前記蓋の開口内で回転可能に係合された、前記蓋内に突出した円筒形の係合部とから構成され、前記キャップ本体には、排出孔が形成された円筒形の突出部が設けられ、前記回動部材の係合部の外周面が前記蓋の開口と回転可能に係合し、前記回動部材の係合部の内周面は、前記キャップ本体の突出部の外周面と係合可能であり、前記蓋をキャップ本体に係合させた時に、前記回動部材の係合部中に前記突出部が挿入され、前記回動部材の回転によって、前記回動部材の係合部の内周面と、前記キャップ本体の突出部の外周面との係合および係合の解除が行われることで、前記蓋を前記キャップ本体にロックおよびロック解除を行うことにより、操作部を回転させるだけで、簡単に蓋のロックおよびロックの解除を行うことができ、ロック状態を強固に保つことができ、意図しない力が加わっても蓋が開くのを確実に防止することができる。
【００１０】
また、前記蓋をキャップ本体に係合させた時に、前記回動部材の回転によって、前記回動部材の係合部の内周面に設けられた凸部が、前記キャップ本体の突出部の外周面に設けられた凸部の下方へと移動し、前記突出部の凸部によって前記係合部の凸部が上方への移動が抑制されることにより、簡単な構造で強固にロック状態を保つことが可能となる。
【図面の簡単な説明】
【００１１】
【図１】本発明のヒンジキャップの斜視図であり、ロックした状態を示す。
【図２】本発明のヒンジキャップの斜視図であり、ロックを解除した状態を示す。
【図３】本発明のヒンジキャップの斜視図であり、蓋を開いた状態を示す。
【図４】本発明のヒンジキャップの概略断面図であり、ロックした状態を示す。
【図５】本発明のヒンジキャップの概略断面図であり、ロックを解除した状態を示す。
【図６】本発明のヒンジキャップの概略断面図であり、蓋を開いた状態を示す。
【図７】ヒンジキャップを容器に取り付けた状態の全体を示す斜視図である。
【発明を実施するための形態】
【００１２】
本発明を、図を用いて以下に詳細に説明する。図１〜３に示すのが本発明の第１の実施形態のヒンジキャップ１の斜視図であり、図４〜６がヒンジキャップ１の概略断面図であり、図７に示すのがヒンジキャップを取り付けた容器全体の斜視図である。
【００１３】
本発明のヒンジキャップ１は、図７に示すように、シャンプーやリンスといった液体等を収容する容器１８の開口に取り付けられ、容器１８を使用する際には容器１８内に収容された液体を排出し、そして、使い終わったら容器１８を密閉するためのものであり、図１〜６に示すように、容器１８の開口に取り付けられる楕円筒形状のキャップ本体２と、前記キャップ本体２にヒンジ４で開閉可能に係合された同じく楕円筒形状の蓋３からなり、前記蓋３を前記キャップ本体２にロックするロック機構を有する。前記キャップ本体２および前記蓋３の形状は特に楕円筒形状に限定するものではなく、円筒形状、あるいは角柱等様々な形状を用いることができる。
【００１４】
前記キャップ本体２の上面には、容器内の液体を排出する排出孔６が中央に形成された円筒形の突出部９が設けられており、前記突出部９の内側はすり鉢状に形成され、最下部の中央に前記排出孔６が配置されている。また、前記突出部９の外周面には３個の凸部１４が等間隔で配置されている。
【００１５】
前記蓋３には回動部材５が回転可能に係合されており、前記回動部材５がロック機構として用いられる。前記回動部材５は、前記蓋３の上面と接する楕円形の操作部７と、前記操作部７から下方に延伸する円筒形の係合部８から構成される。前記回動部材５の係合部８は、前記蓋３の上面の略中央に設けられた開口に挿入され、前記開口から下方に延伸された円筒形の係合部１０と回転可能に係合されている。
【００１６】
前記回動部材５の操作部７の形状は、本実施形態では蓋３の形状に合わせて楕円形を用いているが、特に限定するものではなく、矩形や円形、あるいは、ダイヤル形状等回動部材５を手で回転させることができる形状であれば、どのような形状も用いることができる。また、前記操作部７の表面には三角形に突出した部分を設けているが、これにより前記回動部材５を指先で押すことで回転させることができるようにしている。
【００１７】
前記蓋３の係合部１０の内面には２個の凸部１２が設けられ、前記回動部材５の係合部８の外面には２個の溝１１が設けられており、前記凸部１２が前記溝１１内に移動可能に嵌め込まれており、前記溝１１は前記凸部１２に沿って移動可能な大きさで、かつ、前記回動部材５が６０°の範囲で回転できる大きさに形成されている。これにより、前回動部材５は前記蓋３に対して６０°の範囲で回転可能に係合されている。
【００１８】
前記回動部材５の係合部８の内周面には３個の凸部１３が等間隔で設けられており、前記回動部材５を回転させて、前記凸部１３を前記キャンプ本体２の突出部９の外周面に設けられた凸部１４と係合させることで、前記蓋３を前記キャップ本体２にロックさせる。
【００１９】
前記回動部材５の前記係合部８の内側には前記操作部７から下方へと延伸する棒状の閉塞部１５が設けられており、前記蓋３を閉じた時に、前記閉塞部１５が前記キャップ本体２の突出部９の中に挿入されて前記排出孔６を塞ぐことにより、前記ヒンジキャップ１は密閉される。前記突出部９の内側は前記閉塞部１５を挿入し易くするためにすり鉢状に形成している。
【００２０】
前記キャップ本体２には、上面から下方に延伸された円筒形の係合部１６が設けられており、前記係合部１６によってヒンジキャップ１は容器１８に取り外し可能に固定されている。本実施形態では、ネジ係合を用いて、前記キャップ本体２を容器１８の開口部と取り外し可能に係合させており、これにより容器１８内の液体を簡単に補充できる。前記係合部１６の形態はネジ係合以外にも様々なもの用いることができる。
【００２１】
前記蓋３が前記キャップ本体２にロックされた状態では、前記回動部材５の係合部８の３個の凸部１３は、前記キャップ本体２の突出部９の３個の凸部１４の下にそれぞれが重なった状態となっており、この状態では、前記係合部８の凸部１３は前記突出部９の凸部１４によってそれぞれ押さえられているので、前記係合部８は上方へと移動できない。よって、前記回動部材５も上方への移動が抑制されており、前記回動部材５が係合されている蓋３を開けることができないので、前記蓋３はロックされた状態となる。前記係合部８と前記突出部９の係合に凸部１３，１４を用いているが、回動部材５の回転により、係合および係合の解除ができるものであれば、その他の係合方法を用いることも可能である。
【００２２】
ロック機構についてさらに詳しく説明する。図１および図４に示すのが、ヒンジキャップ１がロック機構を用いてロックされた状態である。前記蓋３と前記キャップ本体２が係合し、前記蓋３の閉塞部１５が前記キャップ本体２の突出部９に挿入されて排出孔６を塞いでいる。この時、上述のように、前記回動部材５の係合部８の３個の凸部１３が、前記キャップ本体２の突出部９の３個の凸部１４の下にそれぞれ位置し、上方への移動が阻止されて、前記蓋３がロック機構により前記キャップ本体２にロックされた状態となる。
【００２３】
この時、前記回動部材５の楕円形の操作部７は前記蓋３の楕円形の平面形状と同じ向きとなっており、前記操作部７は前記蓋３から横方向に突出することなく収まった状態となっており、ロックされているのが一目で確認できる。
【００２４】
ロック状態から前記蓋３を開けるには、ロック機構によるロックを解除しなければならない。そのために、前記操作部７を図１の矢印の方向に回転させる。すると、図２および図５に示すように、前記回動部材５の係合部８も回転し、前記係合部８の凸部１３が前記突出部９の凸部１４の真下から移動して隣接する凸部１４同士の間に位置するようになる。これにより、前記係合部８の凸部１３の上方には移動を阻止していた前記突出部９の凸部１４がなくなるので、図５に示すように、前記蓋３のロックが解除された状態となり、前記蓋３を開けることができる状態となる。
【００２５】
前記回動部材５の回転は前記係合部８の溝１１と前記蓋３の係合部９の凸部１２によって制限されており、前記凸部１３が前記凸部１４の真下から前記凸部１４同士の間へと移動する範囲に制限されている。また、ロックが解除された状態では、前記操作部７は前記蓋３から一部が横方向に突出した状態となっているので、ロックが解錠されたことが一目で確認でき、ロックが解除されたのを気づかないで蓋が開いて誤って容器１８内の液体等の収容物が排出されてしまうのを防ぐことができる。
【００２６】
このようにロックが解除されたら、前記蓋３をヒンジ４を用いて上方に回動させると、ヒンジキャップ１を開けることができる。この時、前記回動部材５の凸部１３は前記キャップ本体２の隣接する凸部１４の間を通って上方へと移動する。するとヒンジキャプ１は、図３および図６に示す状態となり、キャップ本体２の排出孔６が露出され容器１８内に収容された液体等の収容物を排出できる。
【００２７】
再びヒンジキャップ１を閉じてロックするには、まず、前記蓋３をヒンジ４を用いて下方へと回動させて、図２および図５に示すように前記蓋３を前記キャップ本体２に係合させる。この時、前記回動部材５の凸部１３は前記キャップ本体２の凸部１４の間を通って下方へと移動する。また、前記蓋３の閉塞部１５が前記キャップ本体２の突出部９に挿入されて排出孔６を塞ぐ。
【００２８】
次に、前記操作部７を先ほどとは反対の方向に回転させて、図１に示すように、前記蓋３と重なる状態とする。この時、図４に示すように、前記回動部材５の凸部１３は前記キャップ本体２の凸部１４の真下へと移動する。このようにして再び回動部材５を用いたロック機構によって、前記蓋３はキャップ本体２にロックされた状態となる。このようにロックされた状態では、前記突出部９の上方が前記回動部材５に設けられた円筒形状の部分によって押さえられ、排出孔６の周囲も密閉されているので、ロック時の密閉性がより高い構造となっている。
【００２９】
このように、本発明のヒンジキャップ１は、回動部材５を回転させるだけで簡単にロックおよびロックの解除を行うことができ、ロック時には回動部材５が蓋３から横方向に突出しない状態となるので、不用意にロック機構が解除されるのを防止することもできるる。また、凸部１３，１４によって強固にロック状態を保つこともできる。
【符号の説明】
【００３０】
１      ヒンジキャップ
２      キャップ本体
３      蓋
４      ヒンジ
５      回動部材
６      排出孔
７      操作部
８      回動部材
９      突出部
１０    係合部
１１    溝
１２    凸部
１３    凸部
１４    凸部
１５    閉塞部
１６    係合部
１８    容器
【図１】
0005451297.tif 000002
【図２】
0005451297.tif 000003
【図３】
0005451297.tif 000004
【図４】
0005451297.tif 000005
【図５】
0005451297.tif 000006
【図６】
0005451297.tif 000007
【図７】
0005451297.tif 000008